(57)【要約】      （修正有）【課題】ユーザが特別な操作を行うことなく、監視カメラの映像がどのチャンネルで放送されているかが特定できる利便性の高い受信装置を提供する。【解決手段】撮像手段３の出力信号をＯＦＤＭ変調器４１により所定のＲＦ帯域に変調したＲＦ信号と、アンテナ２により受信した放送信号を混合器４２で混合し、混合信号を受信装置５に入力する。受信装置５はチューナで選局可能なチャンネルからＲＦ信号に係るチャンネルを特定し、映像を表示装置６に表示する。【選択図】図１
2015026887.tif 000002
【特許請求の範囲】
【請求項１】
撮像手段の出力信号を所定のＲＦ帯域に変調したＲＦ信号と放送信号との混合信号が入力されるチューナと、
前記チューナで選局可能なチャンネルから前記ＲＦ信号に係るチャンネルを特定する特定部と、
を備える受信装置
【請求項２】
前記特定部はスクランブル鍵により暗号化されていないコンテンツに係るチャンネルを前記ＲＦ信号に係るチャンネルと特定する請求項１に記載の受信装置。
【請求項３】
放送信号から時刻情報を抽出する抽出部と、前記抽出部により抽出された時刻情報に基づいて時刻を設定する時刻設定部と、を備える請求項１又は請求項２に記載の受信装置。
【請求項４】
前記特定部が特定した前記ＲＦ信号に係るチャンネルを示す情報を提示する情報提示部を備える請求項１〜請求項３のいずれか１項に記載の受信装置。
【請求項５】
前記チューナが選局するチャンネルを前記特定部が特定した前記ＲＦ信号に係るチャンネルに切り替える指示を行う切替指示部を備える請求項１〜請求項４のいずれか１項に記載の受信装置。
【発明の詳細な説明】
【技術分野】
【０００１】
本発明は、監視カメラからの放送信号及び地上デジタル放送信号を受信する受信装置に関する。
【背景技術】
【０００２】
近年、防犯の観点から一般家庭でも屋内及び／又は屋外に監視カメラを設置することが多くなっている。監視カメラの映像は受信装置によって視聴可能であるが、特に共聴設備を有するマンションなどでは共聴設備を利用してマンションの管理人室や各家庭の受信装置にて監視カメラの映像を視聴可能にするシステムが構築されることがある。
【０００３】
具体的には、監視カメラの出力信号をＯＦＤＭ変調器で所定のＲＦ帯域のＲＦ信号に周波数変換して共聴設備に設けられた混合器に出力する。混合器はＲＦ信号とアンテナにより受信される地上デジタル放送信号とを混合して各受信装置に配信する。これにより管理人室や各家庭の受信装置で監視カメラの映像が視聴可能となる（特許文献１参照）。
【０００４】
ところで上記システムでは監視カメラの出力信号が地上デジタル放送信号と共に受信装置に入力される。受信装置は地上デジタル放送に割り当てられている周波数（ＵＦＨ１３〜ＵＦＨ６２）を順次走査して受信可能な放送局を見つけ出す、いわゆるチャンネルスキャンが実行されることで、監視カメラの映像も受信可能な放送局の一つとして検出する。
【先行技術文献】
【特許文献】
【０００５】
【特許文献１】実用新案登録第３１６９７３８号
【発明の概要】
【発明が解決しようとする課題】
【０００６】
しかしながら受信装置はチャンネルスキャンを実行した結果見つけ出した各チャンネルの中でどのチャンネルが監視カメラの映像であるかを特定することはできなかった。従ってユーザは監視カメラの映像を視聴するために監視カメラの映像が配信されているチャンネルを手動で設定しなければならず手間であった。
【０００７】
本発明は上述した問題点に鑑み、利便性の高い受信装置を提供すること目的とする。
【課題を解決するための手段】
【０００８】
上記目的を達成するために本発明の受信装置は、撮像手段の出力信号を所定のＲＦ帯域に変調したＲＦ信号と放送信号との混合信号が入力されるチューナと、前記チューナで選局可能なチャンネルから前記ＲＦ信号に係るチャンネルを特定する特定部と、を備えることを特徴としている。
【０００９】
また上記構成の受信装置において、前記特定部はスクランブル鍵により暗号化されていないコンテンツに係るチャンネルを前記ＲＦ信号に係るチャンネルと特定することが望ましい。
【００１０】
また上記構成の受信装置において、放送信号から時刻情報を抽出する抽出部と、前記抽出部により抽出された時刻情報に基づいて時刻を設定する時刻設定部と、を備えることが望ましい。
【００１１】
また上記構成の受信装置において、前記特定部が特定した前記ＲＦ信号に係るチャンネルを示す情報を提示する情報提示部を備えることが望ましい。
【００１２】
また上記構成の受信装置において、前記チューナが選局するチャンネルを前記特定部が特定した前記ＲＦ信号に係るチャンネルに切り替える指示を行う切替指示部を備えることが望ましい。
【発明の効果】
【００１３】
本発明によれば、チューナには撮像手段から出力された放送信号を所定のＲＦ帯域に変調したＲＦ信号と地上デジタル放送信号との混合信号が入力される。チューナは複数のチャンネルを選局可能であり、特定部はそれら複数のチャンネルからＲＦ信号に係るチャンネルを特定する。つまりユーザが特別な操作を行うことなく、監視カメラの映像がどのチャンネルで放送されているかが特定されるのでユーザの利便性が高まる。
【図面の簡単な説明】
【００１４】
【図１】共聴システムの構成を示す図
【図２】第１実施形態の受信装置の構成の一例を示すブロック図
【図３】図２に示す受信装置のチューナの構成の一例を示すブロック図
【図４】表示装置に表示されるＯＳＤ画面の第１例を示す図
【図５】表示装置に表示されるＯＳＤ画面の第２例を示す図
【図６】第１実施形態の受信装置の制御部が実行する処理の一例を示すフローチャート
【図７】第２実施形態の受信装置の制御部が実行する処理の一例を示すフローチャート
【図８】第３実施形態の受信装置の制御部が実行する処理の一例を示すフローチャート
【図９】第４実施形態の受信装置の制御部が実行する処理の一例を示すフローチャート
【図１０】第５実施形態の受信装置の制御部が実行する処理の一例を示すフローチャート
【発明を実施するための形態】
【００１５】
＜第１実施形態＞
以下にまず共聴システムについて図１を参照して説明する。共聴システムはオフィスビルやマンション・アパート等の集合住宅などにおいて１本のアンテナを共用して棟内で地上デジタル放送を視聴可能にするシステムである。また、オフィスビルや集合住宅では監視カメラが取り付けられて敷地内や敷地外が撮影される。撮影された映像は守衛室や管理人室に設置された受信装置を介して表示装置に表示される。すなわち、本実施形態の共聴システム１は、地上デジタル放送信号を受信するアンテナ２、監視カメラ３、地上デジタル放送信号及び監視カメラ３の放送信号が入力される共聴設備４、受信装置５及び表示装置６を備える。
【００１６】
共聴設備４は監視カメラ３から出力された映像信号及び音声信号を含む出力信号を所定のＲＦ帯域に変調するＯＦＤＭ変調器４１と、ＯＦＤＭ変調器４１により変調されたＲＦ信号とアンテナ２から入力された地上デジタル放送信号とを混合して混合信号を生成する混合器４２を備える。
【００１７】
詳説すると、ＯＦＤＭ変調器４１は監視カメラ３の出力信号をデジタル放送標準方式のＯＦＤＭ信号に変換し、所定のＲＦ帯域に周波数変換してＲＦ信号を生成する。混合器４２により生成された混合信号は混合器４２から受信装置５に出力される。
【００１８】
なお、本実施形態では共聴設備４がＯＦＤＭ変調器を備えることとしているが、共聴設備４がＯＦＤＭ変調器を備えていなくてもよい。その場合ＯＦＤＭ変調器は監視カメラ３と共聴設備４の間に配される。或いは、監視カメラ３がＯＦＤＭ変調器を有して（変調機能を有して）監視カメラ３の出力信号がＲＦ信号であってもよい。
【００１９】
上記説明では共聴システムとしてオフィスビルや集合住宅を例に説明したが、これに限られるものではなく、一戸建て住宅等の小規模施設・住宅にも適用可能である。また、以下では具体的にマンションにおける共聴システムであって受信装置５が管理人室に設置されている場合を例に説明するが、受信装置５は管理人室のみならず各住戸に設置可能である。
【００２０】
以下、本実施形態の受信装置について図２及び図３を参照して説明する。なお、以下に示す実施形態は、本発明の技術的思想を具体化するために受信装置の一例を示すものであって、本発明をこの受信装置に特定することを意図するものではなく、特許請求の範囲に含まれるその他の実施形態の装置にも等しく適応し得るものである。
【００２１】
図２は本実施形態の受信装置の構成の一例を示すブロック図である。図３は図２のチューナの構成の一例を示す図である。本実施形態では受信装置５が１個のチューナ１１を備えることとして説明を行うが、２個以上のチューナ１１を備えることとしてもよい。チューナ１１は混合器４２の出力信号（混合信号）を取得する。そして、チューナ１１は混合信号に選局チャンネルに対応する周波数の局部発振信号を乗算してベースバンド信号に周波数変換する。
【００２２】
以下、チューナ１１について図３を参照して詳説する。チューナ１１は入力端子３１、第１の可変利得器３２、第１のフィルタ３３、第２の可変利得器３４、ミキサ３５、局部発振器３６、第２のフィルタ３７、第３の可変利得器３８及び出力端子３９を備える。
【００２３】
入力端子３１には混合信号が入力される。第１の可変利得器３２は入力端子３１に入力された混合信号のレベルが小さい場合に音質、画質等を確保するために雑音指数（ＮＦ）を小さくしたローノイズアンプである。
【００２４】
第１のフィルタ３３は第１の可変利得器３２の出力信号から受信帯域（全受信放送周波数帯）のみを選別し、それ以外の周波数成分を除去する。例えばユーザにより地上デジタル放送が選局されているときは地上デジタル放送以外の周波数帯が除去される。
【００２５】
第１のフィルタ３３の出力信号は第２の可変利得器３４によって利得が調整される。ミキサ３５は第２の可変利得器３４の出力信号に局部発振器３６から出力される局部発振信号を乗算してベースバンド信号に周波数変換する。
【００２６】
第２のフィルタ３７はミキサ３５から出力されるベースバンド信号を平滑化、すなわち高周波数成分を減衰させて出力する。第２のフィルタ３７の出力信号は第３の可変利得器３８によって利得が調整される。第３の可変利得器３８の出力信号は出力端子３９から復調器１２に出力される。
【００２７】
図２に戻って受信装置５の説明を続ける。復調器１２は出力端子３９の出力信号に対して復調処理を行い、復調信号を出力する。なお、地上デジタル放送信号は一般的にスクランブル鍵によってスクランブル（暗号化）が施されている。スクランブルを解除するための解除鍵は地上デジタル放送信号に含まれており、この解除鍵は受信装置５に接続されるＢ−ＣＡＳ（登録商標）カードと呼ばれるＩＣカードが有するマスター鍵（認証情報）により取り出される。復調器１２は取り出した解除鍵を用いて地上デジタル放送信号のスクランブルを解除して復調処理を行う。
【００２８】
誤り訂正部１３は復調器１２の出力信号に対して必要に応じた誤り訂正を行う。多重分離部１４は誤り訂正部１３の出力信号をオーディオデータ（音声信号）、ビデオデータ（映像信号）及びＥＰＧデータに分離復号し、夫々をオーディオデコーダ１５、ビデオデコーダ１６、後述する制御部２０に供給する。
【００２９】
オーディオデコーダ１５は入力されたオーディオデータを例えばＭＰＥＧ方式でデコードしてスピーカ等に出力する。ビデオデコーダ１６は入力されたビデオデータを例えばＭＰＥＧ方式でデコードしてフレームメモリ１７に供給する。
【００３０】
フレームメモリ１７はビデオデータを一時的に格納するメモリ領域である。映像処理部１８はフレームメモリ１７に格納されたビデオデータをディスプレイ（不図示）での表示に適した映像信号に変換してディスプレイに出力する。
【００３１】
なお、映像処理部１８にはＯＳＤ生成部１９から出力されたＯＳＤ信号が入力され、フレームメモリ１７に格納されたビデオデータにＯＳＤ信号を重畳した映像信号を生成しディスプレイでの表示に適した映像信号に変換してディスプレイに出力する。
【００３２】
ＯＳＤ生成部１９は文字や図形等のＯＳＤ画面を生成し、生成したＯＳＤ画面を信号化したＯＳＤ信号を映像処理部１８に出力する。
【００３３】
制御部２０は受信装置５全体を制御する制御手段である。制御部２０は特定部２０１、抽出部２０２、時刻設定部２０３、情報提示部２０４及び切替指示部２０５を備える。なお本実施形態では説明の簡略化のために一の制御部２０が特定部２０１、抽出部２０２、時刻設定部２０３、情報提示部２０４及び切替指示部２０５を有する構成を示すが、夫々又は一部を異なる制御部が有する構成であってもよい。
【００３４】
特定部２０１はチューナ１１で選局可能なチャンネルからＲＦ信号に係るチャンネルを特定する特定手段である。言い換えれば特定部２０１は監視カメラ３の映像がどのチャンネルで視聴可能であるかを特定する。特定部２０１がＲＦ信号に係るチャンネルの特定が完了するまでの間、表示装置６には例えば図４に示すように特定中（検出中）であることを示すＯＳＤ画面が表示される。図４に示すＯＳＤ画面はＯＳＤ生成部１９により生成される。ＲＦ信号に係るチャンネルを特定する方法については後述する。
【００３５】
抽出部２０２は地上デジタル放送信号から時刻情報を抽出する抽出手段である。時刻情報は上述したＥＰＧデータに含まれており、抽出部２０２はＥＰＧデータに含まれる時刻情報から時刻情報を抽出する。
【００３６】
時刻設定部２０３は抽出部２０２により抽出された時刻情報に基づいて受信装置５の内部時計の時刻を設定する時刻設定手段である。監視カメラ３の映像は後述する記憶部２１に記憶することで録画可能である。表示装置６に表示される監視カメラ３の映像は現在の映像であっても、録画した過去の映像であってもよいが、その映像がいつ撮影されたものであるかは監視カメラ３の映像という特性上、重要な情報である。従って受信装置５の内部時計の時刻は正確な時刻であることが望まれる。そこで本実施形態では抽出部２０２により抽出された時刻情報に基づいて時刻設定部２０３が定期又は不定期に受信装置５の内部時計の時刻を設定するので受信装置５の内部時計の時刻に誤差が生じにくくなる。
【００３７】
情報提示部２０４は特定部２０１が特定したＲＦ信号に係るチャンネルに示す情報を提示する提示手段である。提示方法としては、例えば、ＯＳＤ生成部１９が図５に示すようなＲＦ信号に係るチャンネルが何チャンネルであるかを示すＯＳＤ画面を生成し、当該ＯＳＤ画面１００を表示装置６に表示する。提示方法は表示装置６への表示に限られるものではなく、音声案内による提示であってもよい。
【００３８】
切替指示部２０５はチューナ１１が選局するチャンネルを特定部２０１が特定したＲＦ信号に係るチャンネルに切り替える指示を行う切替指示手段である。切替指示部２０５により、ユーザによるチャンネル切り替え操作を要することなく自動的にチャンネルが監視カメラ３の映像が放送されるチャンネルに切り替えられるので、利便性が高い。
【００３９】
なお、情報提示部２０４によるＲＦ信号に係るチャンネルに示す情報の提示、及び、切替指示部２０５によるＲＦ信号に係るチャンネルへの切替はいずれか一方のみを実行することとしてもよいし、両者を実行することとしてもよい。図５に示すように双方の処理を実行することで、自動的に監視カメラ３の映像が視聴可能になると共に、以後監視カメラ３の映像を視聴する際にどのチャンネルを指定すべきかを認識することができるため、いずれか一方を実行するのに比べて好適である。なお、図５では例として監視カメラ３がエレベータ前に設置されている場合の映像が表示されている。
【００４０】
記憶部２１は監視カメラ３の映像を記憶する記憶手段である。
【００４１】
以下、本実施形態の受信装置５の制御部２０が実行する処理について図６を参照して説明を行う。図６は本実施形態の受信装置５の制御部２０が実行する処理の一例を示すフローチャートである。
【００４２】
ステップＳ０１において制御部２０はチャンネルスキャンを実行する。チャンネルスキャンはチューナ１１で選局可能なチャンネルを検出してチャンネルマップに登録する動作である。
【００４３】
ステップＳ０２において制御部２０の特定部２０１はチューナ１１で選局可能なチャンネルからスクランブルが施されていないチャンネルを特定する。すなわちステップＳ０１ではチューナ１１により選局可能なチャンネルは検出可能であるが、その中でどのチャンネルが監視カメラ３の映像が放送されているチャンネルであるかは特定されていない。そこで本ステップではどのチャンネルがスクランブルが施されていないチャンネルであるかを特定する。
【００４４】
ステップＳ０３において制御部２０の特定部２０１はステップＳ０２で特定したチャンネルを監視カメラ３の映像が放送されているチャンネルであると特定する。
【００４５】
すなわち、上述したように地上デジタル放送信号はスクランブルが施されており、復調部１２は当該スクランブルを解除して復調処理を行う。これに対してＲＦ信号にはスクランブルが施されておらず、スクランブルを解除することなく復調処理を行うことができる。つまり、監視カメラ３の映像は受信装置５にＢ−ＣＡＳ（登録商標）カードが接続されていなくても視聴可能であり、特定部２０１はスクランブルの有無によりＲＦ信号に係るチャンネルを特定できる。言い換えれば特定部２０１はＢ−ＣＡＳ（登録商標）カードなしで視聴可能なチャンネルを特定して、当該チャンネルをＲＦ信号に係るチャンネルであると特定する。
【００４６】
本実施形態によれば、チューナには撮像手段の出力信号を所定のＲＦ帯域に変調したＲＦ信号と地上デジタル放送信号との混合信号が入力される。チューナは複数のチャンネルを選局可能であり、特定部はそれら複数のチャンネルからＲＦ信号に係るチャンネルを特定する。つまりユーザが特別な操作を行うことなく、監視カメラの映像がどのチャンネルで放送されているかが特定されるのでユーザの利便性が高まる。
【００４７】
＜第２実施形態＞
図７は本実施形態の受信装置５の制御部２０が実行する処理の一例を示すフローチャートである。図７のフローチャートのステップＳ１１は図６のフローチャートのステップＳ０１と同様であるため説明を省略する。
【００４８】
上記第１実施形態ではＲＦ信号に係るチャンネルをスクランブルの有無に基づいて特定することとした。しかしながらＲＦ信号に係るチャンネルを特定する方法はこれに限られるものではない。以下、第２実施形態及び第３実施形態はＲＦ信号に係るチャンネルを特定する他の方法に関する。本実施形態では映像内における動きの度合いに基づいてＲＦ信号に係るチャンネルを特定する。
【００４９】
すなわち監視カメラ３の映像は監視カメラ３の撮像領域に移動体（人、自転車等）が存在しなければ動きがなく、移動体が存在していても移動体が所定の方向に所定の速度で移動する程度の連続性のある動きであることが多い。
【００５０】
これに対して地上デジタル放送番組は動きがないことは極めて少なく、且つ、多くの番組は複数台のカメラによって撮影されて頻繁に映像が切り替えて効果的な映像が作り出されている。従って前後の画像データに連続性がない場合があり、映像内の移動体の動きは監視カメラ３の映像内の移動体の動きに比べて大きくなる傾向にある。
【００５１】
そこで本実施形態では、各チャンネルの映像を一定時間受信して映像内の動きの度合いを検出し、比較して、最も動きの度合いの小さな映像に係るチャンネルをＲＦ信号に係るチャンネルと特定する。
【００５２】
ステップＳ１２において制御部２０の特定部２０１はチューナ１１で選局可能なチャンネルから映像内の動きの度合いが最も小さいチャンネルを特定する。例えば現フレームの画像データと前フレームの画像データとの間で検出された画像データ内の物体の動き（変化）の度合いに基づいて映像内の動きの度合いが最も小さいチャンネルを特定する。
【００５３】
ステップＳ１３において制御部２０の特定部２０１はステップＳ１２で特定したチャンネルを監視カメラ３の映像が放送されているチャンネルであると特定する。
【００５４】
なお、一定時間映像を受信してＲＦ信号に係るチャンネルを特定する方法としては動きの度合いに基づいて特定する方法に限られるものではなく、例えば映像の輝度の度合いに基づいて特定してもよい。地上デジタル放送番組は多くの照明を用いて制作されており、輝度が高い。これに比べて監視カメラ３の映像は自然光（太陽光）や街灯以外の光が入り込みにくいことがあるので輝度が低い。そこで、各チャンネルの映像を一定時間受信して映像の輝度の平均値が最も低いチャンネルをＲＦ信号に係るチャンネルと特定する。
【００５５】
本実施形態によれば第１実施形態と同様の効果を奏する。
【００５６】
＜第３実施形態＞
図８は本実施形態の受信装置５の制御部２０が実行する処理の一例を示すフローチャートである。図８のフローチャートのステップＳ２１は図６のフローチャートのステップＳ０１と同様であるため説明を省略する。
【００５７】
本実施形態ではＥＰＧデータに含まれる放送局情報に基づいてＲＦ信号に係るチャンネルを特定する。上述したように多重分離部１４は誤り訂正部１３の出力信号を、オーディオデータ、ビデオデータ、ＥＰＧデータに分離復号する。ＥＰＧデータには番組を放送する放送局名を示す情報が含まれている。
【００５８】
そこで本実施形態では、ＥＰＧデータに含まれる放送局名が監視カメラに係る放送局名であるチャンネルをＲＦ信号に係るチャンネルと特定する。
【００５９】
ステップＳ２２において制御部２０の特定部２０１はチューナ１１で選局可能なチャンネルから放送局名が監視カメラに係る放送局名であるチャンネルを特定する。例えば放送局名として監視カメラ３で設定された文字列を含む（例えば「監視カメラ」や「カメラ」）チャンネル、或いは、放送局名がブランク（空欄）であるチャンネルと特定する。
【００６０】
ステップＳ２３において制御部２０の特定部２０１はステップＳ２２で特定したチャンネルを監視カメラ３の映像が放送されているチャンネルであると特定する。
【００６１】
なお、本実施形態では積極的に監視カメラ３に係る放送局名であるチャンネルを特定することとしたが、消去法により監視カメラ３に係るチャンネルを特定することとしてもよい。受信装置５は一般的に、地域の地域情報を有している。地域情報には地域と放送局名とが対応付けられている。
【００６２】
そこでまず特定部２０１は受信装置５が設置されている地域の地域情報に含まれる放送局名と、各チャンネルのＥＰＧデータに含まれる放送局名とを比較して、地域情報に含まれる放送局以外の放送局により放送されているチャンネルを特定する。そして放送局以外の放送局により放送されているチャンネルをＲＦ信号に係るチャンネルであると特定することとしてもよい。
【００６３】
本実施形態によれば第１実施形態と同様の効果を奏する。
【００６４】
＜第４実施形態＞
図９は本実施形態の受信装置５の制御部２０が実行する処理の一例を示すフローチャートである。図９のフローチャートのステップＳ３１、Ｓ３２は図６のフローチャートのステップＳ０１、Ｓ０２と同様であるため説明を省略する。
【００６５】
第１実施形態ではチャンネルスキャンにより検出された複数のチャンネルのうち、スクランブルが施されていないチャンネルをＲＦ信号に係るチャンネルであると特定することとした。特定部２０１によって特定されたスクランブルが施されていないチャンネルが１個であれば上述したようにそのチャンネルをＲＦ信号に係るチャンネルであると特定すればよいが、スクランブルが施されていないチャンネルが複数個存在する場合も考えらえる。
【００６６】
そこで本実施形態では、スクランブルが施されたチャンネルが複数あるか否かを判定し（ステップＳ３３）、スクランブルが施されたチャンネルが１個である場合（ステップＳ３３のＹ）はステップＳ３４に進んでスクランブルが施されていないチャンネルをＲＦ信号に係るチャンネルと特定する（図６のステップＳ０３と同様の処理）。
【００６７】
一方、スクランブルが施されていないチャンネルが１個でない、すなわち２個以上である場合（ステップＳ３３のＮＯ）はステップＳ３５及びＳ３６に進んで、スクランブルが施されていないチャンネルからＲＦ信号に係るチャンネルを特定する。
【００６８】
スクランブルが施されていないチャンネルからＲＦ信号に係るチャンネルを特定する方法としては例えば上述した第２実施形態の特定方法及び／又は第３実施形態の特定方法とすればよい。第２実施形態の特定方法により特定する場合を例に説明する。
【００６９】
ステップＳ３５において制御部２０の特定部２０１はスクランブルが施されていない複数のチャンネルに関して、各チャンネルの映像を一定時間受信して映像内の動きの度合いを検出し、比較して、最も動きの度合いの小さな映像に係るチャンネルを特定する。
【００７０】
ステップＳ３６において制御部２０の特定部２０１はステップＳ３５で特定したチャンネルを監視カメラ３の映像が放送されているチャンネルであると特定する。
【００７１】
本実施形態では上述した第１実施形態の特定方法と第２実施形態の特定方法を組み合わせてＲＦ信号に係るチャンネルを特定することとしたが、組み合わせはこれに限られるものではなく、上記第１実施形態〜第３実施形態の特定方法を適宜組み合わせることとすればよい。
【００７２】
本実施形態によれば第１実施形態と同様の効果を奏する。加えて、複数の特定方法でチューナで選局可能なチャンネルの中からＲＦ信号に係るチャンネルを特定するので高精度にＲＦ信号に係るチャンネルを特定することができる。
【００７３】
＜第５実施形態＞
図１０は本実施形態の受信装置５の制御部２０が実行する処理の一例を示すフローチャートである。図１０のフローチャートのステップＳ４１は図６のフローチャートのステップＳ０１と同様であるため説明を省略する。
【００７４】
上述したように監視カメラ３の映像を受信する受信装置において時刻情報は重要な情報の一つである。受信装置５は内部時計を有しており、その時刻設定は受信装置５のリモコンを操作して手動で変更可能であるが、手動で設定すると実際の時刻とは誤差が生じる可能性が高い。また、頻繁に時刻を調整しなければ、時間が経過するにしたがって内部時計の時刻計測に誤差が生じて次第に時間が早まり或いは遅れる可能性がある。
【００７５】
そこで本実施形態では上述した各実施形態に示す処理に加えて、地上デジタル放送信号のＥＰＧデータに含まれる時刻情報に基づいて受信装置５の内部時計の時刻設定の処理を行う。つまり本実施形態は第１実施形態〜第４実施形態と組み合わせて実行されるものである。
【００７６】
図１０は本実施形態の受信装置５の制御部２０が実行する処理の一例を示すフローチャートであり、より詳説には、受信装置５の内部時計の時刻設定の処理の流れを示すフローチャートである。図１０のフローチャートのステップＳ４１は図６のフローチャートのステップＳ０１と同様であるため説明を省略する。
【００７７】
ステップＳ４２において制御部２０の特定部２０１はチューナ１１で選局可能なチャンネルからスクランブルが施されているチャンネルを特定する。
【００７８】
ステップＳ４３において制御部２０の抽出部２０２はステップＳ４２で特定したチャンネルの放送信号（地上デジタル放送信号）のＥＰＧデータを取得して、ＥＰＧデータから時刻情報を抽出する。なお、スクランブルが施されているチャンネルが複数存在する場合にはどのチャンネルの地上デジタル放送信号からＥＰＧデータと取得することとしてもよい。特定の放送局（例えば公共放送局）の地上デジタル放送信号のＥＰＧデータから時刻情報を取得する場合には、上記ステップＳ４２の処理に加えて、或いは代えて、ＥＰＧデータに含まれる放送局名を示す情報を取得して、特定の放送局に係るチャンネルを特定すればよい。
【００７９】
ステップＳ４４において制御部２０の時刻設定部２０３は抽出部２０２により抽出された時刻情報に基づいて受信装置５の内部時計の時刻を設定する。図１０のフローチャートの処理は初期設定時（チャンネルスキャン時）及びそれ以後定期又は不定期に実行される。
【００８０】
本実施形態によれば地上デジタル放送信号のＥＰＧデータに含まれる時刻情報に基づいて自動的に受信装置の内部時計の時刻が設定されるので、内部時計の時刻に誤差が生じにくい。加えて、定期或いは不定期に時刻設定処理が行われるので、内部時計の時刻が経時的に早まり、或いは遅れることが防がれる。
【符号の説明】
【００８１】
１    共聴システム
２    アンテナ
３    監視カメラ
４    共聴設備
５    受信装置
６    表示装置
１１    チューナ
１２    復調器
１３    誤り訂正部
１４    多重分離部
１５    オーディオデコーダ
１６    ビデオデコーダ
１７    フレームメモリ
１８    映像処理部
１９    ＯＳＤ生成部
２０    制御部
２１    記憶部
３１    入力端子
３２    第１の可変利得器
３３    第１のフィルタ
３４    第２の可変利得器
３５    ミキサ
３６    局部発振器
３７    第２のフィルタ
３８    第３の可変利得器
３９    出力端子
４１    ＯＦＤＭ変調器
４２    混合器
２０１    特定部
２０２    抽出部
２０３    時刻設定部
２０４    情報提示部
２０５    切替指示部
【図１】
2015026887.tif 000003
【図２】
2015026887.tif 000004
【図３】
2015026887.tif 000005
【図６】
2015026887.tif 000006
【図７】
2015026887.tif 000007
【図８】
2015026887.tif 000008
【図９】
2015026887.tif 000009
【図１０】
2015026887.tif 000010
【図４】
2015026887.tif 000011
【図５】
2015026887.tif 000012